(57)【要約】【課題】  陰影感が大きく意匠性に優れる建築板を提供する。【解決手段】  複数個のブロック部１を表面に突出して形成した建築板Ａであって、ブロック部１の頂面１１を挟んで位置する二つの周面１３、１３のうち一方を定角度斜面２、他方を変角度斜面３としてそれぞれ形成し、定角度斜面２の傾斜角度αを全ブロック部１において等しく形成すると共に、変角度斜面３の傾斜角度βを隣り合うブロック部１、１同士で異ならせる。隣り合うブロック部１、１の変角度斜面３の傾斜角度βが互いに異なるために、各ブロック部１の変角度斜面３で光の反射の仕方や度合いを変えることができる。【選択図】  図１
2006009406.tif 000002
【特許請求の範囲】
【請求項１】
複数個のブロック部を表面に突出して形成した建築板であって、ブロック部の頂面を挟んで位置する二つの周面のうち一方を定角度斜面、他方を変角度斜面としてそれぞれ形成し、定角度斜面の傾斜角度を全ブロック部において等しく形成すると共に、変角度斜面の傾斜角度を隣り合うブロック部同士で異ならせて成ることを特徴とする建築板。
【請求項２】
隣り合うブロック部の頂面に亘って配置される塗装ローラで塗装することにより変角度斜面に塗膜を形成して成ることを特徴とする請求項１に記載の建築板。
【発明の詳細な説明】
【技術分野】
【０００１】
本発明は、建物の外装材などとして用いられる建築板に関するものである。
【背景技術】
【０００２】
従来より、表面に複数個のブロック部を縦横に並べて突設した建築板が提案されている（例えば、特許文献１参照）。この建築板は、ブロック部の前面、後面、左右の側面をそれぞれ傾斜面として形成すると共にブロック部の間の溝部分に砂を散布して形成するものであり、これにより、独特の意匠効果を演出しようとするものである。
【特許文献１】特開２０００−３７６５５号公報
【発明の開示】
【発明が解決しようとする課題】
【０００３】
しかし、上記建築板では、ブロック部の前面、後面、左右の側面を一定の傾斜角度にしているために、陰影感が乏しいという問題があった。
【０００４】
本発明は上記の点に鑑みてなされたものであり、陰影感が大きく意匠性に優れる建築板を提供することを目的とするものである。
【課題を解決するための手段】
【０００５】
本発明の建築板Ａは、複数個のブロック部１を表面に突出して形成した建築板Ａであって、ブロック部１の頂面１１を挟んで位置する二つの周面１３、１３のうち一方を定角度斜面２、他方を変角度斜面３としてそれぞれ形成し、定角度斜面２の傾斜角度αを全ブロック部１において等しく形成すると共に、変角度斜面３の傾斜角度βを隣り合うブロック部１、１同士で異ならせて成ることを特徴とするものである。
【０００６】
本発明にあっては、隣り合うブロック部１、１の頂面１１に亘って配置される塗装ローラ４で塗装することにより変角度斜面３に塗膜５を形成することができる。
【発明の効果】
【０００７】
本発明は、隣り合うブロック部１、１の変角度斜面３の傾斜角度βが互いに異なるために、各ブロック部１の変角度斜面３で光の反射の仕方や度合いを変えることができ、陰影感が大きくなって意匠性に優れるものとなる。
【０００８】
また、隣り合うブロック部１、１の頂面１１に亘って配置される塗装ローラ４で塗装して変角度斜面３に塗膜５を形成することにより、傾斜角度βの異なる各変角度斜面３への塗装ローラ４の接触面積を異ならせることができ、各ブロック部１の変角度斜面３に形成される塗膜５の大きさを変えることができるものであり、塗膜５の大きさの変化により陰影感をさらに大きくすることができるものである。
【発明を実施するための最良の形態】
【０００９】
以下、本発明を実施するための最良の形態を説明する。
【００１０】
本発明の建築板Ａは、例えば、無機質板として形成することができ、この場合、セメントと骨材と補強繊維などからなる固形分を水などと混合してセメントスラリーを調製し、金型等などを使用してこのセメントスラリーを加圧成形して所望の形状に成形した後、養生硬化するようにして製造することができる。
【００１１】
本発明の建築板Ａはその表面に複数個のブロック部１、１…を突出して形成したものである。また、隣り合うブロック部１、１の間は目地溝部１０として形成されている。これらブロック部１及び目地溝部１０は上記の金型等を使用した加圧成形により形成することができる。
【００１２】
ブロック部１は平面視で四角形、断面は略台形状に形成されており、頂面１１が略平坦な面に、左右前後の四つの周面１３が頂面１１から下り傾斜する傾斜面にそれぞれ形成されている。そして、本発明の建築板Ａは、ブロック部１の四つの周面１３のうち、一つの周面１３が定角度斜面２として形成されていると共に他の一つの周面１３が変角度斜面３として形成されており、定角度斜面２と変角度斜面３は頂面１１を挟んで位置する二つの周面１３、１３で形成されている。尚、図１（ａ）（ｂ）においては全ブロック部１の左側の周面１３が定角度斜面２、全ブロック部１の右側の周面１３が変角度斜面３としてそれぞれ形成されているが、これに限らず、定角度斜面２と変角度斜面３とが左右逆であっても良い。但し、全ブロック部１の同じ側の周面１３が全て定角度斜面２となり、もう一方の同じ側の周面１３が全て変角度斜面３となっている。
【００１３】
上記の定角度斜面２は全て同一の傾斜角度α（定角度斜面２に隣接する目地溝部１０の底面からの傾斜角度）を有するものである。一方、上記の変角度斜面３の傾斜角度β（変角度斜面３に隣接する目地溝部１０の底面からの傾斜角度）は、目地溝部１０を挟んで隣り合うブロック部１、１において、互いに異ならせて形成されている。例えば、図１（ａ）において、ブロック部１ｂにおける変角度斜面３ｂの傾斜角度βは、ブロック部１ｂの周囲のブロック部１ａ及び１ｃ〜１ｆの各変角度斜面３ａ及び３ｃ〜３ｆの傾斜角度βのいずれとも異ならせるように形成されている。つまり、図１（ｂ）においては、ブロック部１ｂの変角度斜面３ｂの傾斜角度βｂは、ブロック部１ａの変角度斜面３ａの傾斜角度βａやブロック部１ｃの変角度斜面３ｃの傾斜角度βｃと異ならせて形成されている。尚、傾斜角度α、βはいずれも９０〜１８０°とすることができる。
【００１４】
そして、本発明の建築板Ａは隣り合うブロック部１、１間において、変角度斜面３の傾斜角度βを互いに異ならせて形成しているので、各変角度斜面３で光の反射の仕方（方向など）や度合いを変えることができ、ブロック部１の全ての周面の傾斜角度が一定の場合に比べて、ブロック部１の陰影を鮮明に発現することができて陰影感を大きくすることができる。また、本発明の建築板Ａは外壁等を形成するにあたって、幕板や柱カバーなどの建築部材と張り合わせて使用されるが、変角度斜面３の傾斜角度βを互いに異ならせて形成しているので、これら張り合わせ部分の目地ズレを判りにくくすることができて外壁等の外観を高めることができる。また、本発明の建築板Ａは外壁等を形成するにあたって、複数枚並設して使用されるが、この時、定角度斜面２の傾斜角度αが一定であるために、この定角度斜面２を基準として並設することができ、建築板Ａを所望の位置に容易に施工することができる。
【００１５】
上記の建築板Ａにおいて、定角度斜面２の傾斜角度αは変角度斜面３の傾斜角度βよりも小さくする（定角度斜面２を変角度斜面３よりも急傾斜にする）ことが好ましく、この場合、ブロック部１の立ち上がり部分（エッジ部分）を鋭くシャープにすることができ、ブロック部１を際立たせて鮮明さを発現することができる。また、図２に示すように、上記の建築板Ａにおいて、隣り合うブロック部１、１の定角度斜面２と変角度斜面３との間にある目地溝部１０の幅寸法は一定であることが好ましく、また、目地溝部１０のピッチＰは一定にするのが好ましい。この場合、等間隔で目地が必要な割付（例えば、住宅タイプなど）においても容易に施工することができるものである。また、本発明の建築板Ａは、図３に示す幅Ｗと長さＬの大きさが、幅１．５尺×長さ１０尺（幅０．４５５ｍ×長さ３．０３ｍ）や幅３尺×長さ８尺（幅０．９０９ｍ×長さ２．４２ｍ）のような定尺板として形成することができるが、これを親板として用いて複数のパーツを切り出す場合に、目地溝部１０のピッチＰが一定であると、パーツの切り出し位置の融通が効き、自由度が大きくなり、ロスを少なくすることができる。尚、図３ではブロック部１の一部を想像線で示す。
【００１６】
図４に他の実施の形態を示す。この建築板Ａは図１に示すものにおいて、各ブロック部１の頂面１１から四つの周面１３に亘って塗膜５が形成されたものであり、その他の構成は上記の実施の形態と同様である。
【００１７】
上記の塗膜５は塗装ローラ４を用いて公知の塗料をブロック部１に塗装することによって形成することができる。すなわち、上記の建築板Ａと同様にしてセメントスラリーを成形して塗装前の原板１６を形成した後、図５（ａ）に示すように、塗装ローラ４をブロック部１の頂面１１に押し付けて回転させながら塗装ローラ４と原板１６とを相対的に移動させて塗装するものであるが、この時、図５（ｂ）に示すように、塗装ローラ４を隣り合うブロック部１、１の頂面１１に亘って載せるようにして配置する。ここで、塗装ローラ４は目地溝部１０に落ちないような大きさ、すなわち、少なくとも隣り合う二つのブロック部１、１の頂面１１に載る程度の直径を有するものである。また、塗装ローラ４はゴムなどの弾性変形可能な材料で形成されている。
【００１８】
従って、塗装ローラ４は目地溝部１０の底面には着かず、隣り合うブロック部１、１の間の目地溝部１０の開口近傍に弾性変形しながら食い込むことになる。そして、各ブロック部１の変角度斜面３の傾斜角度βは異なって形成されているので、目地溝部１０に食い込んだ塗装ローラ４と変角度斜面３の接触面積は変角度斜面３の傾斜角度βによって異なるものであり、この結果、変角度斜面３に形成される塗膜５の面積は隣り合うブロック部１、１の間で異なることになる。具体的には、傾斜角度βが大きい変角度斜面３ほど、その表面に形成される塗膜５の面積は大きくなるものである。
【００１９】
上記のようにして塗装した建築板Ａでは、各ブロック部１の変角度斜面３に形成される塗膜５の大きさを変えることができ、塗膜５の大きさの変化により、塗装しないものに比べて、陰影感をさらに大きくすることできる。
【００２０】
尚、上記塗装時において、塗装ローラ４の回転軸４ａは、図６のように建築板Ａの長手方向に対して直交する方向であっても良いし、図７のように平行な方向であってもよい。
【産業上の利用可能性】
【００２１】
本発明の建築板Ａは、外壁、内壁、屋根、天井、床などを形成するのに用いることができる。
【図面の簡単な説明】
【００２２】
【図１】（ａ）は本発明の実施の形態の一例を示す一部の斜視図、（ｂ）は断面図である。
【図２】同上の一部の斜視図である。
【図３】同上の平面図である。
【図４】同上の他の実施の形態の一例を示す一部の斜視図である。
【図５】同上の塗装工程を示す一部を拡大した断面図である。
【図６】同上の塗装工程の一例を示し、図３のイ部分を拡大した平面図である。
【図７】同上の塗装工程の他例を示し、図３のイ部分を拡大した平面図である。
【符号の説明】
【００２３】
１  ブロック部
２  定角度斜面
３  変角度斜面
４  塗装ローラ
５  塗膜
１１  頂面
１３  周面
【図１】
2006009406.tif 000003
【図２】
2006009406.tif 000004
【図３】
2006009406.tif 000005
【図４】
2006009406.tif 000006
【図５】
2006009406.tif 000007
【図６】
2006009406.tif 000008
【図７】
2006009406.tif 000009